(57)【要約】【課題】材料の板厚を薄くしても、フロアパネルの材料の成形加工時に材料に亀裂や破壊が容易に生じるのを防止することができるフロアパネルを提供する。【解決手段】上板部材４２と下板部材４４の周縁部４２ｃ，４４ｃ同士が結合して内部に空間４６が形成されたフロアパネル４０において、前記フロアパネル４０側面の高さ途中部に前記上板部材４２と前記下板部材４４との結合部４０ｃが形成された。【選択図】図１
2014185438.tif 000002
【特許請求の範囲】
【請求項１】
上板部材と下板部材の周縁部同士が結合して内部に空間が形成されたフロアパネルにおいて、
前記フロアパネル側面の高さ途中部に前記上板部材と前記下板部材との結合部が形成されたことを特徴とするフロアパネル。
【請求項２】
前記上板部材と前記下板部材は共に凹部空間を有する箱状に形成され、
前記上板部材と前記下板部材は、互いの前記凹部空間を連続させて前記フロアパネルの内部に空間を有するように配置されたことを特徴とする請求項１に記載のフロアパネル。
【請求項３】
前記上板部材と前記下板部材の各々の周縁部端部は、互いに他方の周縁部の折り曲げ部に包まれた状態で結合されたことを特徴とする請求項１又は２に記載のフロアパネル。
【請求項４】
前記上板部材と前記下板部材の結合部は、前記フロアパネルの側面部に対して略平行に折り畳まれたことを特徴とする請求項１から３のいずれかに記載のフロアパネル。
【請求項５】
前記フロアパネルの空間の内部に補強部材が設置されたことを特徴とする請求項１から４のいずれかに記載のフロアパネル。
【発明の詳細な説明】
【技術分野】
【０００１】
本発明は、フリーアクセスフロア構造に用いられるフロアパネルに関するものである。
【背景技術】
【０００２】
本発明のフロアパネルは、フリーアクセスフロア構造に用いられるものである。フリーアクセスフロア構造のフロアパネルは、建築構造物の一部を構成するコンクリート材等により形成された基礎床面の上方に空間を隔てて設けられるものである（例えば、特許文献１，２参照）。
【０００３】
図１１及び図１２は、従来のフロアパネル２について説明するために参照する図である。従来のフロアパネル２は、図１１に示すように、主に天板４と底板６により構成されていた。これらの天板４と底板６は共に鋼板材を用いて形成されていた。
【０００４】
フロアパネル２の底板６は、図１２の右下部に示すように、その底板部６ａの周縁部が、図中水平方向から上方に向かって略鉛直方向に折り曲げられた側板部６ｂが形成されていると共に、この側板部６ｂの上端部には図中鉛直方向から水平方向外側に向かって折り曲げられた周縁部６ｃが形成されていた。
【０００５】
このため、底板６は、側板部６ｂの水平方向内側に形成され、かつ寸法Ｄの深さに形成された内部空間を有する箱状に形成されていた。
【０００６】
フロアパネル２の天板４は、略板状に形成されており、その周縁部４ａが底板６の上方の周縁部６ｃに接触して重なっていた。そして、図１１に示すように、天板４と底板６は、互いの周縁部４ａ，６ｃが共に折曲げ加工されて、フロアパネル２の上側辺部２ａを形成することにより、互いの周縁部４ａ，６ｃが一体的に結合されるようになっていた。
【０００７】
すなわち、図１２に示すように、天板４の周縁部４ａには、底板６の周縁部６ｃの先端部６ｄを包み込むように、Ｕ字状に折り曲げられたＵ字状部４ｂが形成されていた。そして、図１１に示すように、天板４の周縁部４ａは、その周縁部４ａに重なっている底板６の周縁部６ｃと共に、９０度位の角度で図中下方に折り曲げられて、フロアパネル２の上側辺部２ａが形成されていた。
【０００８】
このような従来のフロアパネル２は、天板４と、底板６の底板部６ａと側板部６ｂに囲まれた内部空間８を有する中空状に形成されていた。
【０００９】
そして、フロアパネル２の内部空間８内には、板状の補強部材１０が、天板４と、底板６の底板部６ａの間に挟まれて設置されていた。この補強部材１０には、木材を小さな木片に砕いて乾燥させ、接着剤を加えて高温高圧の下で成形したパーティクルボードが用いられていた。
【先行技術文献】
【特許文献】
【００１０】
【特許文献１】特開２００９−１４４３７８号公報
【特許文献２】登録実用新案第３０１０９８１号公報
【発明の概要】
【発明が解決しようとする課題】
【００１１】
しかしながら、上記従来のフロアパネル２は、天板４と底板６の板厚を薄くすることにより、その重量を軽くすることはできるが、その反面今度は、底板６の引張強度が小さくなるため、底板６を箱状に加工する際の板状の材料に対する引張力により、底板６に亀裂や破壊が容易に生じるおそれがあるという問題があった。
【００１２】
すなわち、底板６は、板状の材料をプレスを用いて深絞り加工することにより、側板部６ｂの内側に深さ寸法Ｄ（図１２参照）の内部空間８が形成されていたが、その板厚が薄くなると、深絞り加工によりその深さ方向に底板６を伸ばすような引張力が加えられて、底板６の側板部６ｂ等に亀裂や破壊が容易に生じるおそれがあるという問題があった。
【００１３】
そこで本発明は、上記問題点に鑑みて、材料の板厚を薄くしても、その材料の成形加工時に材料に亀裂や破壊が容易に生じるのを防止することができるフロアパネルを提供することを課題とするものである。
【課題を解決するための手段】
【００１４】
上記課題を解決するために、本発明によるフロアパネルは、
上板部材と下板部材の周縁部同士が結合して内部に空間が形成されたフロアパネルにおいて、
前記フロアパネル側面の高さ途中部に前記上板部材と前記下板部材との結合部が形成されたことを特徴とするものである。
【００１５】
また、本発明によるフロアパネルは、
前記上板部材と前記下板部材は共に凹部空間を有する箱状に形成され、
前記上板部材と前記下板部材は、互いの前記凹部空間を連続させて前記フロアパネルの内部に空間を有するように配置されたことを特徴とするものである。
【００１６】
また、本発明によるフロアパネルは、
前記上板部材と前記下板部材の各々の周縁部端部は、互いに他方の周縁部の折り曲げ部に包まれた状態で結合されたことを特徴とするものである。
【００１７】
また、本発明によるフロアパネルは、
前記上板部材と前記下板部材の結合部は、前記フロアパネルの側面部に対して略平行に折り畳まれたことを特徴とするものである。
【００１８】
また、本発明によるフロアパネルは、
前記フロアパネルの空間の内部に補強部材が設置されたことを特徴とするものである。
【発明の効果】
【００１９】
このような本発明のフロアパネルによれば、
上板部材と下板部材の周縁部同士が結合して内部に空間が形成されたフロアパネルにおいて、
前記フロアパネル側面の高さ途中部に前記上板部材と前記下板部材との結合部が形成されたことにより、
材料の板厚を薄くしても、フロアパネルの材料の成形加工時に材料に亀裂や破壊が容易に生じるのを防止することができる。
【図面の簡単な説明】
【００２０】
【図１】本発明の第１の実施の形態に係るフロアパネル４０の一部断面側面図である。
【図２】図１に示すフロアパネル４０の天板４２の周縁部４２ｃと底板４４の周縁部４４ｃを結合する第１の手順の前の、それぞれの縁部４２ｃ，４４ｃが重なって水平方向に伸びただけの状態を示す概略部分断面図である。
【図３】図１に示すフロアパネル４０の天板４２の周縁部４２ｃと底板４４の周縁部４４ｃを結合する第２の手順の前の、底板４４の周縁部４４ｃを天板４２の周縁部４２ｃの先端部４２ｄが包んでその周縁部４２ｃの長さ途中にＵ字状部４２ｅが形成された状態を示す概略部分断面図である。
【図４】図５に示すフロアパネル４０のＡ−Ａ線矢視の部分断面図である。
【図５】図１に示すフロアパネル４０の上面図である。
【図６】図５に示すフロアパネル４０のＢ−Ｂ線矢視の部分断面図である。
【図７】図５に示すフロアパネル４０の開口部４０ｂ近傍を拡大して示す部分拡大斜視図である。
【図８】図１に示すフロアパネル４０と、このフロアパネル４０を支持する支持脚５２とにより構成されたフリーアクセスフロア構造５０を示す部分側面図である。
【図９】本発明の第２の実施の形態に係るフロアパネル６０の隅部における部分断面図である。
【図１０】図９に示すフロアパネル６０と、このフロアパネル６０を支持する支持脚６６とにより構成されたフリーアクセスフロア構造６４を示す部分側面断面図である。
【図１１】従来のフロアパネル２の部分断面図である。
【図１２】図１１に示すフロアパネル２の天板４の周縁部４ａと底板６の周縁部６ｃのそれぞれが結合される前の、天板４のＵ字状部４ｂが形成された状態を示す概略部分断面図である。
【発明を実施するための形態】
【００２１】
以下、本発明に係るフロアパネルを実施するための形態について、図面に基づいて具体的に説明する。
図１から図８は、本発明の第１の実施の形態に係るフロアパネル４０について説明するために参照する図である。
【００２２】
本実施の形態に係るフロアパネル４０は、図１に示すように、主として天板４２（上板部材）と底板４４（下板部材）により構成されている。これらの天板４２と底板４４は共に鋼板材を用いて形成されている。
【００２３】
フロアパネル４０は、天板４２と底板４４の互いの周縁部４２ｃ，４４ｃ同士が、フロアパネル４０の図１中上下方向中央部の結合部４０ｃにおいて結合されることにより、内部空間４６（空間）を有する中空状に形成されている。そして、フロアパネル４０の内部空間４６内には補強部材４８が設置されている。
【００２４】
すなわち、フロアパネル４０の天板４２には、図２に示すように、その天平板部４２ａの周縁部より、図中下方に向かって略垂直に折り曲げられた側板部４２ｂが形成されており、この側板部４２ｂの下端部から略垂直に折り曲げられて、図中水平方向外側に向かって伸びる周縁部４２ｃが形成されている。
【００２５】
このため、天板４２は、側板部４２ｂより水平方向内側に形成され、かつ寸法Ｄ１の深さに形成された凹部空間４６ａ（内部空間４６の上側部）を有する、いわゆる昔の弁当箱状に形成されている。
【００２６】
フロアパネル４０の底板４４は、その底平板部４４ａの周縁部より、図中上方に向かって略垂直に折り曲げられた側板部４４ｂが形成されており、この側板部４４ｂの上端部より略垂直に折り曲げられて、図中水平方向外側に向かって伸びる周縁部４４ｃが形成されている。
【００２７】
このため、底板４４は、側板部４４ｂより水平方向内側に形成され、かつ寸法Ｄ２の深さに形成された凹部空間４６ｂ（内部空間４６の下側部）を有する、いわゆる昔の弁当箱状に形成されている。
【００２８】
底板４４は、その底平板部４４ａの水平長さ寸法が、天板４２の天平板部４２の水平長さ寸法よりも小さく形成されている。また、底板４４は、その上方の、水平方向に伸びる周縁部４４ｃが、天板４２の下方の、水平方向に伸びる周縁部４２ｃに接触して互いに重なると共に、その内部空間４６の下側部（凹部空間４６ｂ）が、天板４２の内部空間４６の上側部（凹部空間４６ａ）と連続するようになっている。
【００２９】
図２に示すように、天板４２の周縁部４２ｃの先端部４２ｄ（周縁部端部）は、その下に重なっている底板４４の周縁部４４ｃの先端部４４ｄよりも同図中右側に伸びており、図３に示すように、天板４２の周縁部４２ｃの先端部４２ｄは、底板４４の周縁部４４ｃの先端部４４ｄを包むようにＵ字状に折り曲げられたＵ字状部４２ｅが形成されている。
【００３０】
このようなＵ字状部４２ｅが形成される手順が、フロアパネル４０を作るための第１の手順であるということができる。
【００３１】
天板４２の周縁部４２ｃは、そのＵ字状部４２ｅよりも側板部４２ｂ側の長さ部分を、図３中時計回り方向に回動させることにより、図４に示すように、前記周縁部４２ｃの長さ部分が、側板部４２ｂと略同一直線上に伸びてフロアパネル４０の上側辺部４０ａを形成すると共に、底板４４の側板部４４ｂと平行の状態となる。
【００３２】
このため、天板４２の側板部４２ｂと共に、底板４４の周縁部４４ｃの先端部４４ｄ（周縁部端部）が、図３中時計回り方向に略９０°折り曲げられて、図４に示すように、天板４２の先端部４２ｄと共に折り畳まれることにより、天板４２と底板４４は一体的に接合されている。
【００３３】
そして、フロアパネル４０は、その側面の上下方向の、底板４４の底平板部４４ａ寄りの位置において、すなわちフロアパネル４０の側面の高さ途中部において、結合部４０ｃが形成されている。
【００３４】
フロアパネル４０の結合部４０ｃは、天板４２の先端部４２ｄが、底板４４の側板部４４ｂと、先端部４４ｂを含む周縁部４４ｃに包まれると共に、底板４４の先端部４４ｄが、天板４２の側板部４２ｂと、先端部４２ｄとＵ字状部４２ｅを含む周縁部４２ｃに包まれて、底板４４の側板部４４ｂ（側面部）に対して略平行に折り畳まれることにより形成されている。
【００３５】
そして、図４に示すように、フロアパネル４０の結合部４０ｃは、天板４２の側板部４２ｂより水平方向外側に突出しないように形成されている。
【００３６】
このような周縁部４４ｃが折り曲げられて結合部４０ｃを形成する手順が、フロアパネル４０を作るための第２の手順であるということができる。
【００３７】
フロアパネル４０は、天板４２の周縁部４２ｃと、底板４４の周縁部４４ｃが、フロアパネル４０の図５中の四辺にわたって形成された、結合部４０ｃにより一体的に接合されている。
【００３８】
このため、フロアパネル４０は、図４に示すように、天板４２の天平板部４２ａと、側板部４２ｂと、底板４４の底平板部４４ａと、側板部４４ｂ及び周縁部４４ｃにより囲まれた内部空間４６を有する中空状に形成されている。
【００３９】
図１に示すように、フロアパネル４０の内部空間４６内には、所定の厚さを有する板状の補強部材４８が、天板４２の天平板部４２ａと、底板４４の底平板部４４ａの間に挟まれて設置されている。
【００４０】
上記補強部材４８は、木質材料が用いられて一体的に形成された板状部材である。具体的には木材を小さな木片に砕いて乾燥させ、接着剤を加えて高温高圧の下で成形されて一体的に形成された板状のパーティクルボードが用いられている。
【００４１】
図５に示すように、フロアパネル４０内の補強部材４８は、その四隅部に隅面４８ａが形成された略正方形の板状に形成されており、同図中下側の側辺部（下辺部）には、略矩形状に入り込むような切欠き部４８ｂが形成されている。そして、補強部材４８は、図１に示すように、フロアパネル４０の内部空間４６内の、底板４４の側板部４４ｂの内側に設置されている。
【００４２】
フロアパネル４０の天板４２の天平板部４２ａは、図５に示すように、略正方形の板状に形成されており、その四隅部には、その平面形状が円形を４分割したような円弧状のテーパ部４２ｉと、このテーパ部４２ｉの内周より、その円形の半径内側に、９０°開いた扇状の段差受部４２ｈが形成されている。
【００４３】
すなわち天板４２の天平板部４２ａの四隅部それぞれには、図６に示すように、図中右下方に向かって傾斜するテーパ部４２ｉが形成されていると共に、このテーパ部４２ｉの下端部に、天板４２の上面４２ｆと平行で、かつ上面４２ｆより高さが低い段差を有する段差受部４２ｈが形成されている。
【００４４】
そして、補強部材４８は、フロアパネル４０の内部空間４６内の四隅部においては、その上端部を天板４２の段差受部４２ｈとテーパ部４２ｉのそれぞれの内側面に接触させ、かつその下端部を底板４４の底平板部４４ａに接触させるようにして設置されている。
【００４５】
また、図５に示すように、フロアパネル４０は、その側辺部に略矩形状に入り込むような開口部４０ｂが形成されている。そして、図７に示すように、フロアパネル４０の開口部４０ｂを構成する略コの字状の３つの側辺部には、天板４２の上面４２ｆから下方に向かう、その断面がテーパ状のテーパ部４２ｋと、そのテーパ部４２ｋの下端部から、開口部４０ｂの中央側に、かつ水平方向に伸びるような段差受部４２ｊが形成されている。
【００４６】
上記段差受部４２ｊの上面には、天板４２の上面４２ｆより高さが一段下がった位置の水平の段差面４２ｍが形成されている。この天板４２の段差面４２ｍ上に、不図示の蓋部材を載置させて、この蓋部材の下面を接触させることにより、フロアパネル４０の開口部４０ｂを閉鎖することができる。
【００４７】
図８に示すように、フロアパネル４０は、基礎床面５１上に立設する支持脚５２と共にフリーアクセスフロア構造５０を構成するようになっている。そして、フロアパネル４０を支持する支持脚５２は、パネル調整台５４と脚部５６により構成されている。
【００４８】
支持脚５２のパネル調整台５４は、その軸線部下端側に形成されたメネジ部５４ｂに、脚部５６の外周部に形成されたオネジ部５６ａをネジ結合した状態で、オネジ部５６ａの螺旋軌跡に沿ってパネル調整台５４を相対回転させることにより、パネル調整台５４の基礎床面５１からの高さ位置を調整することができる。
【００４９】
そして、パネル調整台５４の下端部に形成された、軸線がその半径方向に伸びるメネジ孔５４ｃに、オネジ部材５７を締め付けることにより、パネル調整台５４を基礎床面５１から所望の高さ位置に固定することができる。
【００５０】
パネル調整台５４は、その支持面５４ａ上に、フロアパネル４０の底板４４の、底面４４ｅの四隅部のいずれか１つが寄せ集められて載置されている。そして、この底面４４ｅの四隅部を介して、フロアパネル４０にその上方から加えられた荷重を、複数の支持脚５２により支持することができる。
【００５１】
フロアパネル４０は、皿ボルト５８のオネジ部５８ｂを、パネル調整台５４の軸線部上端側のメネジ孔５４ｄに締め付けることにより、その天板４２の四隅部の段差受部４２ｈが、皿ボルト５８の皿頭部５８ａにより下方に押え付けられて、パネル調整台５４の支持面５４ａ上に固定されている。
【００５２】
このため、フロアパネル４０は、基礎床面５１から上方に空間を隔てた高さの水平面上に配置されるように、基礎床面５１上に立設された支持脚５２のパネル調整台５４に着脱可能に支持されている。
【００５３】
本実施の形態に係るフロアパネル４０は、図２に示すように、寸法Ｄ１，Ｄ２の深さに形成された凹部空間４６ａ，４６ｂを有する、いわゆる昔の弁当箱状に形成された天板４２と底板４４とを、それらの凹部空間４６ａ，４６ｂ同士を連続させるように配置されている。そして、互いの周縁部４２ｃ，４４ｃを結合させることにより、図２中寸法Ｄ１とＤ２を加算した寸法Ｄの深さの内部空間４６を有する構成になっている。
【００５４】
このため、天板４２と底板４４は、図２中の寸法Ｄ１，Ｄ２を、前記従来のフロアパネル２における底板６の、図１２中の寸法Ｄの略半分にすることができるので、その分それらの側板部４２ｂ，４４ｂが深絞り加工により伸ばされる高さの寸法を、従来の底板６の側板部６ｂが深絞り加工により伸ばされる高さの寸法よりも小さくすることができる。
【００５５】
そして、側板部４２ｂ，４４ｂが深絞り加工により伸ばされる高さの寸法を小さくすることができることにより、深絞り加工の際に加えられる引張力を低減させることができるため、板材に加わる引張力も低減させることができるので、天板４２と底板４４の材料の板厚を薄くしても、それらの材料の成形加工時に材料に亀裂や破壊が容易に生じるのを防止することができる。
【００５６】
また、本実施の形態に係るフロアパネル４０は、天板４２の先端部４２ｄが底板４４の側板部４４ｂ等に包まれると共に、底板４４の先端部４４ｄが天板４２の側板部４２ｂ等に包まれることにより、結合部４０ｃが形成されている。このため、その結合部４０ｃにおける天板４２と底板４４同士の結合強度を向上させることができると共に、その小型化を図ることができる。
【００５７】
また、本実施の形態に係るフロアパネル４０は、その結合部４０ｃが底板４４の側板部４４ｂ（側面部）に対して略平行に折り畳まれて、天板４２の側板部４２ｂより水平方向外側に突出しないように形成されているため、その結合部４０ｃに衝撃荷重や局所的な荷重が作用することを防止することができる。
【００５８】
したがって、以上に説明したように、本実施の形態に係るフロアパネル４０によれば、材料の板厚を薄くしても、フロアパネル４０の材料の成形加工時に材料に亀裂や破壊が容易に生じるのを防止することができる。
【００５９】
図９及び図１０は、本発明の第２の実施の形態に係るフロアパネル６０について説明するために参照する図である。
【００６０】
本実施の形態に係るフロアパネル６０は、図９に示すように、前記第１の実施の形態における天板４２の代わりに、天板６２を備えるようになっている点において、前記第１の実施の形態に係るフロアパネル４０とは異なるものである。
【００６１】
すなわち、本実施の形態における天板６２は、その隅部における段差受部６２ａとテーパ部６２ｂが、側板部６２ｃの外側面よりも外側（同図中右側）に突出するように形成されている点において、前記第１の実施の形態における天板４２とは異なるものである。
【００６２】
図１０に示すように、フロアパネル６０は、基礎床面５１上に立設する支持脚６６と共にフリーアクセスフロア構造６４を構成するようになっている。そして、フロアパネル６０を支持する支持脚６６は、パネル調整台６８と脚部５６により構成されている。
【００６３】
支持脚６６のパネル調整台６８は、前記第１の実施の形態におけるパネル調整台５４と同様に、そのメネジ部６８ｂと、脚部５６の外周部に形成されたオネジ部５６ａのネジ結合を介して、これらを相対回転させて軸線方向に相対移動させることにより、その基礎床面５１からのフロアパネル６０の高さ位置を調整することができ、メネジ孔６８ｃにオネジ部材５７を締め付けることにより、フロアパネル６０を基礎床面５１から所望の高さ位置に固定することができる。
【００６４】
パネル調整台６８は、その上端部に軸線方向に凹んで形成された先端凹部６８ａ上に、複数のフロアパネル６０の、天板６２の四隅部のいずれか１つの段差受部６２ａがそれぞれ載置され、皿ボルト５８などを用いて固定されている。
【００６５】
すなわちフロアパネル６０は、皿ボルト５８のオネジ部５８ｂを、パネル調整台６８の軸線部上端側のメネジ孔６８ｄに締め付けることにより、その天板６２の四隅部の段差受部６２ａが、皿ボルト５８の皿頭部５８ａにより下方に押え付けられて、パネル調整台６８の先端凹部６８ａ上に固定されている。
【００６６】
そして、複数のフロアパネル６０は、それぞれの段差受部６２ａを１箇所に寄せ集めて突き合わせるように配置され、１つの同じパネル調整台６８に共に固定されている。
【００６７】
このため、フロアパネル６０は、前記第１の実施の形態におけるフロアパネル４０と同様に、基礎床面５１から上方に空間を隔てた高さの水平面上に支持することができ、基礎床面５１上に立設された支持脚６６のパネル調整台６８上に着脱可能に支持されている。
【００６８】
このような本実施の形態に係るフロアパネル６０によっても、前記第１の実施の形態に係るフロアパネル４０と同様の効果を得ることができる。
【００６９】
なお、本発明は、前記２つの実施の形態にのみ限定されるものではなく、本発明の目的を達成することができる範囲内であれば、フロアパネルの種々の変更が可能である。
【００７０】
例えば、前記第１の実施の形態に係るフロアパネル４０は、その内部空間４６内に一体的に形成されたパーティクルボードを用いた板状の補強部材４８が設置されていたが、その内部空間内にはパーティクルボード以外の他の木質材料、又は木質材料以外のコンクリートなどの材料により形成された補強部材が設置されていてもよいし、その内部空間の内部に補強部材を設置しない構成にしてもよい。
【００７１】
また、コンクリートなどの他の材料により形成された補強部材を用いる場合には、一体的に形成された板状部材でなくてもよく、フロアパネルの内部空間内に補強部材を充填するようになっていてもよい。
【００７２】
また、前記第１の実施の形態における補強部材４８は、その側面に、略矩形状に入り込んだ切欠き部４８ｂが１つ形成されていたが、フロアパネルの側辺部に、略矩形状に入り込んだ開口部が複数形成されている場合には、補強部材にも複数の切欠き部が形成されていてもよい。また、フロアパネルの側辺部に開口部が形成されない場合には、補強部材にも切欠き部が形成されていなくてもよい。
【００７３】
また、前記第１の実施の形態に係るフロアパネル４０は、箱状に形成された天板４２と底板４４の互いの周縁部４２ｃ，４４ｃ同士を折り曲げて畳むことにより結合されていたが、フロアパネル４０の側面の上下方向中央部において結合することができるようになっていれば、溶接やカシメ等の別の方法により接合されていてもよい。
【００７４】
また、図８においては、説明の便宜上、１つの支持脚５２が１枚のフロアパネル４０の隅部を支持する場合について示してあるが、１つの支持脚５２は４枚のフロアパネル４０のそれぞれの隅部を寄せ集めて支持することができることや、それが本来の支持脚５２の使い方であることは、いうまでもない。
【符号の説明】
【００７５】
２  フロアパネル
２ａ  上側辺部
４  天板
４ａ  周縁部
４ｂ  Ｕ字状部
６  底板
６ａ  底板部
６ｂ  側板部
６ｃ  周縁部
６ｄ  先端部
８  内部空間
１０  補強部材
４０  フロアパネル
４０ａ  上側辺部
４０ｂ  開口部
４０ｃ  結合部
４２  天板
４２ａ  天平板部
４２ｂ  側板部
４２ｃ  周縁部
４２ｄ  先端部
４２ｅ  Ｕ字状部
４２ｆ  上面
４２ｈ  段差受部
４２ｉ  テーパ部
４２ｊ  段差受部
４２ｋ  テーパ部
４２ｍ  段差面
４４  底板
４４ａ  底平板部
４４ｂ  側板部
４４ｃ  周縁部
４４ｄ  先端部
４４ｅ  底面
４６  内部空間
４６ａ，４６ｂ  凹部空間
４８  補強部材
４８ａ  隅面
４８ｂ  切欠き部
５０  フリーアクセスフロア構造
５１  基礎床面
５２  支持脚
５４  パネル調整台
５４ａ  支持面
５４ｂ  メネジ部
５４ｃ，５４ｄ  メネジ孔
５６  脚部
５６ａ  オネジ部
５７  オネジ部材
５８  皿ボルト
５８ａ  皿頭部
５８ｂ  オネジ部
６０  フロアパネル
６２  天板
６２ａ  段差受部
６２ｂ  テーパ部
６２ｃ  側板部
６４  フリーアクセスフロア構造
６６  支持脚
６８  パネル調整台
６８ａ  先端凹部
６８ｂ  メネジ部
６８ｃ，６８ｄ  メネジ孔
Ｄ，Ｄ１，Ｄ２  寸法
【図１】
2014185438.tif 000003
【図２】
2014185438.tif 000004
【図３】
2014185438.tif 000005
【図４】
2014185438.tif 000006
【図５】
2014185438.tif 000007
【図６】
2014185438.tif 000008
【図７】
2014185438.tif 000009
【図８】
2014185438.tif 000010
【図９】
2014185438.tif 000011
【図１０】
2014185438.tif 000012
【図１１】
2014185438.tif 000013
【図１２】
2014185438.tif 000014